(57)【特許請求の範囲】
【請求項１】
会議サーバ装置と複数の端末とがネットワークを介して接続されることにより、ネットワーク会議を行う会議システムであって、
前記端末は、
ユーザからの操作を受け付けるアプリケーション操作画面情報を表示する会議アプリケーションと、
前記ユーザからの操作を受け付けるブラウザ操作画面情報を表示し、前記ブラウザ操作画面情報を介して前記ネットワーク会議の退出操作を受け付けたときに、前記会議アプリケーションが起動していない場合、前記ブラウザ操作画面情報を介して前記ネットワーク会議の退出操作を受け付けたことを示すブラウザ退出通知を前記会議サーバ装置に送信し、前記会議サーバ装置から前記ブラウザ退出通知の応答として、前記会議アプリケーションの起動要求を受信したときに、前記会議アプリケーションを起動するブラウザと、を備え、
前記会議アプリケーションは、前記ブラウザから起動された場合、前記ネットワークに接続するための制御情報を削除し、
前記会議サーバ装置は、
前記アプリケーション操作画面情報と、前記ブラウザ操作画面情報と、を前記端末の操作に応じて前記端末に送信し、前記端末から前記ブラウザ退出通知を受信した場合、前記起動要求を前記端末に送信するサーバ通信制御部、
を備える会議システム。
【請求項２】
前記ブラウザは、前記ブラウザ操作画面情報を介して前記ネットワーク会議の退出操作を受け付けたときに、前記会議アプリケーションが起動している場合、前記ブラウザ退出通知を、前記会議アプリケーション及び前記会議サーバ装置に送信し、
前記会議アプリケーションは、前記ブラウザから前記ブラウザ退出通知を受信すると、前記制御情報を削除する、
請求項１に記載の会議システム。
【請求項３】
前記ネットワーク会議の主催者の端末のブラウザは、
前記ブラウザ操作画面情報を介して前記ネットワーク会議の終了操作を受け付けたときに、前記終了操作を受け付けたことを示すブラウザ終了通知を前記会議サーバ装置に送信し、
前記会議サーバ装置のサーバ通信制御部は、
前記ネットワーク会議の主催者の端末から前記ブラウザ終了通知を受信すると、前記起動要求を、前記ネットワーク会議の主催者及び参加者の端末に送信し、
前記ネットワーク会議の主催者及び参加者のブラウザは、
前記会議サーバ装置から前記会議アプリケーションの起動要求を受信すると、前記会議アプリケーションを起動し、
前記ネットワーク会議の主催者及び参加者の会議アプリケーションは、
前記ブラウザから起動されると、前記制御情報を削除する、
請求項１又は２に記載の会議システム。
【請求項４】
前記会議アプリケーションは、前記制御情報を削除した後に、前記会議サーバ装置との間の通信を切断したことを示す情報を含む前記アプリケーション操作画面情報を表示する、
請求項１乃至３のいずれか１項に記載の会議システム。
【請求項５】
前記会議システムは、前記端末と前記会議サーバ装置との接続を制御する接続制御装置を更に備え、
前記接続制御装置は、
前記会議サーバ装置への接続を許可する端末を特定する特定情報を含む接続許可端末情報を記憶する記憶部と、
前記制御情報を、第１の通信方式の通信範囲にある端末に送信する第１の通信制御部と、
前記端末から前記会議サーバ装置に対する接続要求があった場合、前記接続要求を送信した前記端末を特定する特定情報が、前記接続許可端末情報に含まれているか否かを判定する判定部と、
前記端末を特定する特定情報が、前記接続許可端末情報に含まれていると判定された場合、前記端末と前記会議サーバ装置との間の前記制御情報を使用した通信を、第２の通信方式により制御する第２の通信制御部と、を備える、
請求項１乃至４のいずれか１項に記載の会議システム。
【請求項６】
前記会議サーバ装置のサーバ通信制御部は、
前記端末から前記ブラウザ退出通知を受信すると、前記ブラウザ退出通知を送信した前記端末の特定情報を含む削除要求を、前記接続制御装置に送信し、前記ブラウザ操作画面情報を介して前記ネットワーク会議の終了操作を受け付けたことを示すブラウザ終了通知を前記端末から受信すると、前記ブラウザ終了通知を送信した前記端末の特定情報と、前記ブラウザ終了通知を送信した前記端末を使用する前記ネットワーク会議の主催者により開催されている前記ネットワーク会議の参加者が使用する前記端末を特定する特定情報と、を含む削除要求を送信し、
前記接続制御装置の第２の通信制御部は、前記接続制御装置から前記削除要求を受信すると、前記削除要求に含まれる特定情報を前記接続許可端末情報から削除する、
請求項５に記載の会議システム。
【請求項７】
前記第１の通信方式は、ＮＦＣ（Ｎｅａｒ  Ｆｉｅｌｄ  Ｃｏｍｍｕｎｉｃａｔｉｏｎ）である、
請求項５又は６に記載の会議システム。
【請求項８】
前記第２の通信方式は、無線ＬＡＮであり、
前記制御情報は、ＳＳＩＤ（Ｓｅｒｖｉｃｅ  Ｓｅｔ  Ｉｄｅｎｔｉｆｉｅｒ）及び暗号化キーである、
請求項５乃至７のいずれか１項に記載の会議システム。
【請求項９】
会議サーバ装置とネットワークを介して接続されることにより、ネットワーク会議を行う端末であって、
前記端末は、
ユーザからの操作を受け付けるアプリケーション操作画面情報を表示する会議アプリケーションと、
前記ユーザからの操作を受け付けるブラウザ操作画面情報を表示し、前記ブラウザ操作画面情報を介して前記ネットワーク会議の退出操作を受け付けたときに、前記会議アプリケーションが起動していない場合、前記ブラウザ操作画面情報を介して前記ネットワーク会議の退出操作を受け付けたことを示すブラウザ退出通知を前記会議サーバ装置に送信し、前記会議サーバ装置から前記ブラウザ退出通知の応答として、前記会議アプリケーションの起動要求を受信したときに、前記会議アプリケーションを起動するブラウザと、を備え、
前記会議アプリケーションは、前記ブラウザから起動されると、前記ネットワークに接続するための制御情報を削除する、
端末。
【請求項１０】
会議サーバ装置と複数の端末とがネットワークを介して接続されることにより、ネットワーク会議を行う会議システムの接続制御方法であって、
前記端末の会議アプリケーションが、ユーザからの操作を受け付けるアプリケーション操作画面情報を表示するステップと、
前記端末のブラウザが、前記ユーザからの操作を受け付けるブラウザ操作画面情報を表示するステップと、
前記端末のブラウザが、前記ブラウザ操作画面情報を介して前記ネットワーク会議の退出操作を受け付けるステップと、
前記端末のブラウザが、前記会議アプリケーションが起動していない場合、前記ブラウザ操作画面情報を介して前記ネットワーク会議の退出操作を受け付けたことを示すブラウザ退出通知を前記会議サーバ装置に送信するステップと、
前記端末のブラウザが、前記会議サーバ装置から前記ブラウザ退出通知の応答として、前記会議アプリケーションの起動要求を受信したときに、前記会議アプリケーションを起動するステップと、
前記端末の会議アプリケーションが、前記ブラウザから起動された場合、前記ネットワークに接続するための制御情報を削除するステップと、
前記会議サーバ装置のサーバ通信制御部が、前記アプリケーション操作画面情報と、前記ブラウザ操作画面情報と、を前記端末の操作に応じて前記端末に送信するステップと、  前記会議サーバ装置のサーバ通信制御部が、前記端末から前記ブラウザ退出通知を受信した場合、前記起動要求を前記端末に送信するステップと、
を備える接続制御方法。
【請求項１１】
会議サーバ装置とネットワークを介して接続されることにより、ネットワーク会議を行うコンピュータを、
ユーザからの操作を受け付けるアプリケーション操作画面情報を表示する会議アプリケーションと、
前記ユーザからの操作を受け付けるブラウザ操作画面情報を表示し、前記ブラウザ操作画面情報を介して前記ネットワーク会議の退出操作を受け付けたときに、前記会議アプリケーションが起動していない場合、前記ブラウザ操作画面情報を介して前記ネットワーク会議の退出操作を受け付けたことを示すブラウザ退出通知を前記会議サーバ装置に送信し、前記会議サーバ装置から前記ブラウザ退出通知の応答として、前記会議アプリケーションの起動要求を受信したときに、前記会議アプリケーションを起動するブラウザ、
として機能させ、
前記会議アプリケーションは、前記ブラウザから起動されると、前記ネットワークに接続するための制御情報を削除する、
プログラム。
【発明の詳細な説明】
【技術分野】
【０００１】
本発明は会議システム、端末、接続制御方法及びプログラムに関する。
【背景技術】
【０００２】
ユーザにより使用される端末からのネットワーク接続を制御することにより、ネットワーク会議を行う会議システムが従来から知られている。特許文献１には、無線ネットワークの接続を簡易化するとともに、セキュリティ機能を付加して、関係のないデバイスが無線ネットワークに加入することを防止することができる電子会議システムの発明が開示されている。
【発明の概要】
【発明が解決しようとする課題】
【０００３】
しかしながら従来の技術では、端末のブラウザの操作によりネットワーク会議から退出した場合、通信を切断することができなかった。
【０００４】
本発明は、上記に鑑みてなされたものであって、端末のブラウザの操作によりネットワーク会議から退出した場合でも、通信を切断することができる会議システム、端末、接続制御方法及びプログラムを提供することを目的とする。
【課題を解決するための手段】
【０００５】
上述した課題を解決し、目的を達成するために、本発明は、会議サーバ装置と複数の端末とがネットワークを介して接続されることにより、ネットワーク会議を行う会議システムであって、前記端末は、ユーザからの操作を受け付けるアプリケーション操作画面情報を表示する会議アプリケーションと、前記ユーザからの操作を受け付けるブラウザ操作画面情報を表示し、前記ブラウザ操作画面情報を介して前記ネットワーク会議の退出操作を受け付けたときに、前記会議アプリケーションが起動していない場合、前記ブラウザ操作画面情報を介して前記ネットワーク会議の退出操作を受け付けたことを示すブラウザ退出通知を前記会議サーバ装置に送信し、前記会議サーバ装置から前記ブラウザ退出通知の応答として、前記会議アプリケーションの起動要求を受信したときに、前記会議アプリケーションを起動するブラウザと、を備え、前記会議アプリケーションは、前記ブラウザから起動された場合、前記ネットワークに接続するための制御情報を削除し、前記会議サーバ装置は、前記アプリケーション操作画面情報と、前記ブラウザ操作画面情報と、を前記端末の操作に応じて前記端末に送信し、前記端末から前記ブラウザ退出通知を受信した場合、前記起動要求を前記端末に送信するサーバ通信制御部、を備える。
【発明の効果】
【０００６】
本発明によれば、端末のブラウザの操作によりネットワーク会議から退出した場合でも、通信を切断することができるという効果を奏する。
【図面の簡単な説明】
【０００７】
【図１】図１は実施形態の会議システムの装置構成の例を示す図である。
【図２】図２は実施形態の会議サーバ装置の機能構成の例を示す図である。
【図３】図３は実施形態の画面情報の例１を示す図である。
【図４】図４は実施形態の画面情報の例２を示す図である。
【図５】図５は実施形態の画面情報の例３を示す図である。
【図６】図６は実施形態の画面情報の例４を示す図である。
【図７】図７は実施形態の接続制御装置の機能構成の例を示す図である。
【図８】図８は実施形態の端末の機能構成の例を示す図である。
【図９】図９は実施形態の端末と会議サーバ装置との通信を開始する方法の例を示すシーケンス図である。
【図１０】図１０は実施形態の端末がブラウザにより退出操作を受け付けた場合に通信を切断する方法の例１を示すシーケンス図である。
【図１１】図１１は実施形態の端末がブラウザにより退出操作を受け付けた場合に通信を切断する方法の例２を示すシーケンス図である。
【図１２】図１２は実施形態の端末がブラウザにより終了操作を受け付けた場合に通信を切断する方法の例１を示すシーケンス図である。
【図１３】図１３は実施形態の端末がブラウザにより終了操作を受け付けた場合に通信を切断する方法の例２を示すシーケンス図である。
【図１４】図１４は実施形態の会議サーバ装置のハードウェア構成の例を示す図である。
【図１５】図１５は実施形態の接続制御装置のハードウェア構成の例を示す図である。
【図１６】図１６は実施形態の端末のハードウェア構成の例を示す図である。
【発明を実施するための形態】
【０００８】
以下に添付図面を参照して、会議システム、端末、接続制御方法及びプログラムの実施形態を詳細に説明する。
【０００９】
＜会議システムの装置構成＞
図１は実施形態の会議システム１００の装置構成の例を示す図である。実施形態の会議システム１００は、会議サーバ装置１０、接続制御装置２０、端末３０ａ、端末３０ｂ、プロジェクタ４０、電子黒板５０、プリントサーバ装置６０及びＭＦＰ（Ｍｕｌｔｉｆｕｎｃｔｉｏｎ  Ｐｅｒｉｐｈｅｒａｌ）７０を備える。以下、端末３０ａ及び端末３０ｂを区別しない場合は、単に端末３０という。なお端末３０の数は２台に限らず任意でよい。
【００１０】
会議サーバ装置１０、接続制御装置２０、プロジェクタ４０及び電子黒板５０は、第１のネットワーク１１０を介して接続されている。端末３０ａ及び３０ｂは、接続制御装置２０を介することにより、第１のネットワーク１１０に接続可能になる。
【００１１】
第１のネットワーク１１０は、有線接続と無線接続とを組み合わせることにより実現されている。例えば会議サーバ装置１０、プロジェクタ４０及び電子黒板５０は、有線により第１のネットワーク１１０に接続され、端末３０は無線により第１のネットワーク１１０に接続される。なお会議サーバ装置１０、プロジェクタ４０及び電子黒板５０も、無線により第１のネットワーク１１０に接続することにより、全ての装置を無線接続してもよい。第１のネットワーク１１０は、限定された領域内で利用可能な閉域ネットワークである。第１のネットワーク１１０は、例えば会議室等の特定の部屋の中で利用可能な閉域ネットワークである。
【００１２】
接続制御装置２０、プリントサーバ装置６０及びＭＦＰ７０は、第２のネットワーク１２０を介して接続されている。またプリントサーバ装置６０及びＭＦＰ７０は、第２のネットワーク１２０を介して、インターネット１３０に接続された装置と通信可能である。
【００１３】
第２のネットワーク１２０の通信方式は、有線方式でも無線方式でもよく、また有線方式と無線方式とを組み合わせることにより実現されていてもよい。第２のネットワーク１２０は、例えば建物全体で利用可能なネットワークである。
【００１４】
会議サーバ装置１０は、端末３０、プロジェクタ４０及び電子黒板５０を使用して行われるネットワーク会議の制御を行う。会議サーバ装置１０は、例えば会議特定情報、参加者情報、会議資料データ及びＵＩ情報等の記憶制御、並びに、会議資料データ及びＵＩ情報等の送信制御等を行う。会議特定情報、参加者情報、会議資料データ及びＵＩ情報の説明は後述する。また会議サーバ装置１０の機能構成の詳細は、図２を参照して後述する。
【００１５】
接続制御装置２０は、第１の通信方式と、第２の通信方式と、を有する装置である。第１の通信方式は、例えばＮＦＣ、及び、Ｂｌｕｅｔｏｏｔｈ（登録商標）等の近距離無線通信である。第１の通信方式は、例えば第１のネットワーク１１０に無線接続するために必要な制御情報の送信に使用される。第１のネットワーク１１０に無線接続するために必要な制御情報は、例えばＳＳＩＤ（Ｓｅｒｖｉｃｅ  Ｓｅｔ  Ｉｄｅｎｔｉｆｉｅｒ）及び暗号化キー（パスワード）である。
【００１６】
第２の通信方式は、イーサネット（登録商標）等の有線ＬＡＮ、及び、Ｗｉ−Ｆｉ（登録商標）等の無線ＬＡＮである。第２の通信方式は、第１のネットワーク１１０への接続に使用される。接続制御装置２０の機能構成の詳細は、図７を参照して後述する。
【００１７】
端末３０は、ネットワーク会議でユーザにより使用される装置である。端末３０は、例えばスマートデバイス及びノートパソコン等である。
【００１８】
プロジェクタ４０は、ネットワーク会議でユーザにより参照されるデータを投影する装置である。電子黒板５０は、会議サーバ装置１０に記憶されているデータの表示、及び、当該データに対する電子ペンによる書き込み等が可能な装置である。プリントサーバ装置６０は、複数の装置から印刷要求を受信し、当該印刷要求に基づく処理の順序等を制御する装置である。ＭＦＰ７０は、コピー機能、印刷機能、スキャナ機能及びＦＡＸ機能等の複数の機能を有する装置である。
【００１９】
＜会議サーバ装置の機能構成＞
次に実施形態の会議サーバ装置１０の機能構成の例について説明する。
【００２０】
図２は実施形態の会議サーバ装置１０の機能構成の例を示す図である。実施形態の会議サーバ装置１０は、記憶部１１、サーバ通信制御部１２、ＵＩ制御部１３、出力制御部１４及び記憶制御部１５を備える。
【００２１】
記憶部１１は情報を記憶する。記憶部１１に記憶される情報は、例えば会議特定情報、参加者情報、会議資料データ及びＵＩ情報等である。
【００２２】
会議特定情報は会議を特定する情報である。参加者情報は会議の参加者の情報である。表１は実施形態の会議特定情報及び参加者情報の例を示す。
【００２３】
【表１】
0006696249.tif 000002
【００２４】
実施形態の会議特定情報は、会議ＩＤ、会議名称及び会議場所を含む。会議ＩＤは会議を識別する識別情報である。会議名称は会議の名称である。会議場所は会議の開催場所を示す。表１の例では、会議ＩＤに「００１」、会議名称に「ＡＢＣプロジェクト」、会議場所に「Ａルーム」が設定されている場合を示す。
【００２５】
実施形態の参加者情報は、名称、パスコード、ＩＰアドレス、ＭＡＣアドレス、型番、電話番号及びメールアドレスを含む。参加者情報は、会議毎に記憶される。表１の参加者情報は、会議ＩＤ「００１」により識別される会議の参加者情報である。
【００２６】
名称は参加者の氏名、ユーザ名及びニックネーム等である。＜＞が付与されている名称は、会議の主催者を示す。パスコードは、会議に参加するときに入力される情報である。パスコードは、例えば４ケタの英数字等である。パスコードは会議毎に設定される。ＩＰアドレスは、参加者により使用される端末３０のＩＰアドレスである。端末３０のＩＰアドレスは、固定のＩＰアドレスにより割り当てられていてもよいし、ＤＨＣＰサーバにより動的に割り当てられていてもよい。ＭＡＣアドレスは、参加者により使用される端末３０のＭＡＣアドレスである。端末３０のＭＡＣアドレスは、端末３０のハードウェア固有の情報である。型番は、端末３０で動作するクライアントプログラムの種類を特定する情報である。型番は、例えば、ＯＳ名、アプリ名、ブラウザ名及びバージョン等の組み合わせである。型番は、例えば会議サーバ装置１０が端末３０に適切な画面情報を送信するために参照される。電話番号は参加者の電話番号である。メールアドレスは参加者のメールアドレスである。
【００２７】
表１の例では、会議ＩＤが「００１」により識別される会議の参加者は、ｔａｒｏ、ｊｉｒｏ及びｓａｂｕｒｏである。また会議ＩＤが「００１」により識別される会議の主催者は、名称に＜＞が付与されているｔａｒｏであり、当該会議のパスコードは「００９０」である。
【００２８】
会議資料データは、端末３０、プロジェクタ４０及び電子黒板５０等に表示されるデータである。
【００２９】
ＵＩ情報は、端末３０、プロジェクタ４０及び電子黒板５０等に表示される画面情報等である。例えば端末３０の画面情報は、アプリケーション操作画面情報及びブラウザ操作画面情報である。アプリケーション操作画面情報は、後述の会議アプリケーション３５（図８参照）により表示され、ユーザからの操作を受け付ける。またブラウザ操作画面情報は、後述のブラウザ３６（図８参照）により表示され、ユーザからの操作を受け付ける。
【００３０】
アプリケーション操作画面情報及びブラウザ操作画面情報の表示フォーマットは任意でよい。
【００３１】
例えばアプリケーション操作画面情報の表示フォーマットは、端末３０の画面寸法がスマートフォン及びタブレット端末等のスマートデバイスの画面寸法である場合に、最適に情報が表示されるようにしてもよい。一方、ブラウザ操作画面情報の表示フォーマットは、端末３０の画面寸法がパーソナルコンピュータ等の液晶ディスプレイの画面寸法である場合に、最適に情報が表示されるようにしてもよい。
【００３２】
また例えばパーソナルコンピュータ及びスマートデバイスの画面サイズの違いを考慮して、アプリケーション操作画面情報に表示される情報の情報量を、ブラウザ操作画面情報に表示される情報の情報量よりも少なくしてもよい。
【００３３】
なおアプリケーション操作画面情報及びブラウザ操作画面情報の表示フォーマット及び情報量は、同一にしてもよい。
【００３４】
ここで、アプリケーション操作画面情報又はブラウザ操作画面情報として表示される画面情報の例について説明する。
【００３５】
図３は実施形態の画面情報の例１を示す図である。図３の例は、「会議」タブ２０１が選択されている場合の画面情報を示す。図３の例は、上述の会議特定情報、並びに、参加者情報に含まれる名称、電話番号及びメールアドレス（表１参照）を表示する場合を示す。
【００３６】
図４は実施形態の画面情報の例２を示す図である。図４の例は、「機器から選ぶ」タブ２０２が選択されている場合の画面情報を示す。図４の画面情報は、会議資料データ等をプロジェクタ４０に投影する場合に表示される。
【００３７】
図５は実施形態の画面情報の例３を示す図である。図５の例は、「ファイルから選ぶ」タブ２０３が選択されている場合の画面情報を示す。図５の画面情報は、会議資料データ等をプロジェクタ４０に投影する場合に表示される。
【００３８】
図２に戻り、サーバ通信制御部１２は、会議で表示されるデータの通信制御を行う。サーバ通信制御部１２は、第１のネットワーク１１０を介して受信されたデータを、ＵＩ制御部１３、出力制御部１４及び記憶制御部１５に入力する。またサーバ通信制御部１２は、ＵＩ制御部１３、出力制御部１４及び記憶制御部１５から、送信対象のデータを受け付けると、当該データを第１のネットワーク１１０を介して他の装置に送信する。
【００３９】
またサーバ通信制御部１２は、端末３０から、上述のブラウザ操作画面情報を介してネットワーク会議の退出操作を受け付けたことを示すブラウザ退出通知を受信した場合、会議アプリケーションの起動要求を端末３０に送信する。
【００４０】
またサーバ通信制御部１２は、ネットワーク会議の主催者の端末３０（例えば表１に記載のｔａｒｏにより使用される端末３０）から、ブラウザ操作画面情報を介してネットワーク会議の終了操作を受け付けたことを示すブラウザ終了通知を受信すると、会議アプリケーションの起動要求を、ネットワーク会議の主催者及び参加者の端末３０に送信する。
【００４１】
図６は実施形態の画面情報の例４を示す図である。図６の例は、ネットワーク会議の退出操作及び終了操作を受け付けるブラウザ操作画面情報の例を示す。全員退出ボタンが押下されると、上述のブラウザ終了通知が、ネットワーク会議の主催者の端末３０から会議サーバ装置１０に送信される。個別退出ボタンが押下されると、上述のブラウザ退出通知が、ネットワーク会議の主催者の端末３０から会議サーバ装置１０に送信される。なおネットワーク会議の主催者ではない参加者の端末３０では、全員退出ボタンは選択できない。
【００４２】
図２に戻り、ＵＩ制御部１３は、端末３０に表示される画面情報の制御を行う。ＵＩ制御部１３は、例えば記憶部１１に記憶された会議資料データ及び画面情報等を、サーバ通信制御部１２を介して端末３０に送信する。ＵＩ制御部１３は、端末３０の操作に応じて、例えば上述のアプリケーション操作画面情報、及び、ブラウザ操作画面情報を、サーバ通信制御部１２を介して端末３０に送信する。
【００４３】
出力制御部１４は、会議資料データの出力制御を行う。具体的には、出力制御部１４は、会議資料データの出力先を、例えば端末３０、プロジェクタ４０及び電子黒板５０等から選択する。出力制御部１４は、選択された出力先に、サーバ通信制御部１２を介して会議資料データを出力する。
【００４４】
記憶制御部１５は、記憶部１１に記憶されている情報の読出し、追加、削除及び変更等の記憶制御を行う。
【００４５】
＜接続制御装置の機能構成＞
次に実施形態の接続制御装置２０の機能構成の例について説明する。
【００４６】
図７は実施形態の接続制御装置２０の機能構成の例を示す図である。実施形態の接続制御装置２０は、記憶部２１、第１の通信制御部２２、第２の通信制御部２３、判定部２４及び記憶制御部２５を備える。
【００４７】
記憶部２１は情報を記憶する。記憶部２１に記憶される情報は、例えば接続許可端末情報である。接続許可端末情報は、会議サーバ装置１０への接続を許可する端末を特定する特定情報を含む。表２は実施形態の接続許可端末情報の例を示す。
【００４８】
【表２】
0006696249.tif 000003
【００４９】
実施形態の接続許可端末情報は、番号、端末名、ＭＡＣアドレス及びＩＰアドレスを含む。番号は、接続許可端末情報に含まれる個々の特定情報に付与された番号である。端末名は、端末３０の名称である。ＭＡＣアドレス及びＩＰアドレスの説明は、表１の説明と同じである。接続許可端末情報は、端末３０から、会議サーバ装置１０に対するアクセスがあった場合に、記憶制御部２５により記憶部２１から読み出され、判定部２４により参照される。
【００５０】
第１の通信制御部２２は、第１のネットワーク１１０に接続するための上述の制御情報を、上述の第１の通信方式の通信範囲にある端末３０に送信する。例えば第１の通信方式がＮＦＣである場合、第１のネットワーク１１０に接続可能な距離にある端末３０のユーザであれば、当該端末３０を接続制御装置２０にかざすことができる。これにより端末３０は、接続制御装置２０から制御情報を受信することができる。制御情報は、例えば端末３０と会議サーバ装置１０との間の通信が無線ＬＡＮの場合、ＳＳＩＤ及び暗号化キーである。
【００５１】
第２の通信制御部２３は、端末３０から上述の制御情報を使用した端末登録要求を、上述の第２の通信方式により受信すると、当該端末３０を特定する特定情報（表２参照）を、記憶制御部２５を介して記憶部２１に追加する。また第２の通信制御部２３は、会議サーバ装置１０から特定情報の削除要求を、上述の第２の通信方式により受信すると、当該削除要求により指定された特定情報を、記憶制御部２５を介して記憶部２１から削除する。
【００５２】
また第２の通信制御部２３は、端末３０から送信された会議サーバ装置１０に対する接続要求が、判定部２４により許可された場合、当該端末３０と会議サーバ装置１０との間の通信を、上述の第２の通信方式により制御する。第２の通信方式により送信されるデータは、例えば会議サーバ装置１０から送信されるデータ、及び、端末３０から送信されるデータである。会議サーバ装置１０から送信されるデータは、例えば会議資料データ、画面情報（アプリケーション操作画面情報及びブラウザ操作画面情報）、及び、会議アプリケーションの起動要求等である。端末３０から送信されるデータは、例えば画面情報を介してユーザの操作により入力された情報、会議資料データの出力要求、上述のブラウザ退出通知、及び、上述のブラウザ終了通知等である。会議資料データの出力要求は、会議資料データを、例えばプロジェクタ４０及び電子黒板５０等から出力させる要求である。
【００５３】
判定部２４は、端末３０から会議サーバ装置１０に対する接続要求があった場合、当該接続要求を送信した端末３０を特定する特定情報が、上述の接続許可端末情報に含まれているか否かを判定する。判定部２４は、当該接続要求を送信した端末３０を特定する特定情報が、上述の接続許可端末情報に含まれている場合、当該端末３０から会議サーバ装置１０に対する接続要求を許可する。判定部２４は、接続要求を送信した端末３０を特定する特定情報が、上述の接続許可端末情報に含まれていない場合、当該端末３０から会議サーバ装置１０に対する接続要求を許可しない。
【００５４】
記憶制御部２５は、記憶部２１に記憶されている情報の読出し、追加、削除及び変更等の記憶制御を行う。
【００５５】
＜端末の機能構成＞
次に実施形態の端末３０の機能構成の例について説明する。
【００５６】
図８は実施形態の端末３０の機能構成の例を示す図である。実施形態の端末３０は、記憶部３１、第１の通信制御部３２、第２の通信制御部３３、記憶制御部３４、会議アプリケーション３５、ブラウザ３６、表示部３７及び入力部３８を備える。
【００５７】
記憶部３１は情報を記憶する。記憶部３１に記憶される情報は、例えば上述の制御情報、及び、端末３０のユーザにより記憶された任意の情報等である。
【００５８】
第１の通信制御部３２は、第１のネットワーク１１０に接続するための上述の制御情報を、上述の第１の通信方式の通信範囲にある接続制御装置２０から受信すると、当該制御情報を記憶部３１に記憶する。
【００５９】
第２の通信制御部３３は、会議サーバ装置１０との間の上述の制御情報を使用した通信を、第２の通信方式により制御する。第２の通信制御部３３は、例えば上述のブラウザ退出通知、及び、上述のブラウザ終了通知を会議サーバ装置１０に送信する。
【００６０】
記憶制御部３４は、記憶部３１に記憶されている情報の読出し、追加、削除及び変更等の記憶制御を行う。
【００６１】
会議アプリケーション３５は、上述のアプリケーション操作画面情報を表示し、当該アプリケーション操作画面情報を介してユーザから受け付けた操作に応じて動作する。
【００６２】
また会議アプリケーション３５は、ブラウザ３６から起動された場合、上述の制御情報を記憶部３１から削除する。また会議アプリケーション３５は、バックグラウンドで動作中に、ブラウザ３６から上述のブラウザ退出通知を受信した場合、上述の制御情報を記憶部３１から削除する。会議アプリケーション３５は、制御情報を削除した後に、会議サーバ装置１０との間の通信を切断したことを示す情報を含むアプリケーション操作画面情報を表示する。
【００６３】
ブラウザ３６は、上述のブラウザ操作画面情報を表示し、当該ブラウザ操作画面情報を介してユーザから受け付けた操作に応じて動作する。なおブラウザ３６は、会議サーバ装置１０から受信したブラウザ操作画面情報の表示だけでなく、汎用的な使用が可能である。ブラウザ３６は、例えば任意のサーバ装置から受信した画面情報等も表示することができる。
【００６４】
ブラウザ３６は、例えばブラウザ操作画面情報を介してネットワーク会議の退出操作を受け付けたときに、会議アプリケーション３５が起動していない場合、上述のブラウザ退出通知を、第２の通信制御部３３を介して、会議サーバ装置１０に送信する。そしてブラウザ３６は、会議サーバ装置１０からブラウザ退出通知の応答として、会議アプリケーション３５の起動要求を受信したときに、会議アプリケーション３５を起動する。
【００６５】
また例えばブラウザ３６は、上述のブラウザ操作画面情報を介してネットワーク会議の退出操作を受け付けたときに、会議アプリケーション３５がバックグラウンドで動作している場合（会議アプリケーション３５が起動している場合）、ブラウザ退出通知を、会議アプリケーション３５及び会議サーバ装置１０に送信する。
【００６６】
表示部３７は情報を表示する。表示部３７に表示される情報は、上述のアプリケーション操作画面情報、及び、上述のブラウザ操作画面情報である。アプリケーション操作画面情報及びブラウザ操作画面情報は、例えば接続制御装置２０を介して会議サーバ装置１０から受信した会議資料データを含む。入力部３８は、ユーザによる操作を示す入力を受け付ける。なお表示部３７及び入力部３８は、表示機能と入力機能とを兼ね備えた液晶タッチパネル等により実現されてもよい。
【００６７】
＜接続制御方法＞
次に実施形態の接続制御方法の例について説明する。
【００６８】
図９は実施形態の端末３０と会議サーバ装置１０との通信を開始する方法の例を示すシーケンス図である。はじめに、端末３０の入力部３８が、会議アプリケーション３５を起動する操作を受け付ける（ステップＳ１）。
【００６９】
次に、接続制御装置２０の第１の通信制御部２２が、接続制御装置２０と端末３０との距離が上述の第１の通信方式による通信が可能な距離である場合、当該第１の通信方式により上述の制御情報を端末３０に送信する（ステップＳ２）。
【００７０】
次に、端末３０の記憶制御部３４が、ステップＳ２で送信された制御情報を記憶部３１に記憶する（ステップＳ３）。次に、第２の通信制御部３３が、ステップＳ３で記憶された制御情報を使用した第２の通信方式により、接続制御装置２０に端末登録要求を送信する（ステップＳ４）。
【００７１】
次に、接続制御装置２０の記憶制御部２５が、記憶部２１の接続許可端末情報（表２参照）に、ステップＳ４で端末登録要求を送信した端末３０の特定情報を追加する（ステップＳ５）。
【００７２】
次に、端末３０の第２の通信制御部３３が、上述の第２の通信方式により、会議サーバ装置１０への接続要求を、接続制御装置２０に送信する（ステップＳ６）。
【００７３】
次に、接続制御装置２０の判定部２４が、ステップＳ６で接続要求を送信した端末３０を特定する特定情報が、接続許可端末情報に含まれているか否かを判定する（ステップＳ７）。
【００７４】
次に、ステップＳ６で接続要求を送信した端末３０を特定する特定情報が、接続許可端末情報に含まれている場合、接続制御装置２０の第２の通信制御部２３が、当該接続要求を会議サーバ装置１０に送信する（ステップＳ８）。なおステップＳ６で接続要求を送信した端末３０を特定する特定情報が、接続許可端末情報に含まれていない場合は、接続制御装置２０の第２の通信制御部２３が、会議サーバ装置１０に接続できないことを端末３０に通知する。
【００７５】
次に、会議サーバ装置１０のサーバ通信制御部１２が、会議サーバ装置１０に接続した際に最初に表示される初期画面情報を、接続制御装置２０に送信する（ステップＳ９）。
【００７６】
次に、接続制御装置２０の第２の通信制御部２３が、ステップＳ９で送信された初期画面情報を、端末３０に送信する（ステップＳ１０）。これにより端末３０は、ネットワーク会議を開始することが可能になる。
【００７７】
図１０は実施形態の端末３０がブラウザ３６により退出操作を受け付けた場合に通信を切断する方法の例１を示すシーケンス図である。図１０の例は、会議アプリケーション３５が起動していない状態で、ブラウザ３６がネットワーク会議から退出（個別退出）する退出操作を受け付けた場合を示す。
【００７８】
はじめに、端末３０のブラウザ３６が、ネットワーク会議の退出操作を受け付ける（ステップＳ２１）。次に、ブラウザ３６が、上述の退出通知を、第２の通信制御部３３を介して接続制御装置２０に送信する（ステップＳ２２）。
【００７９】
次に、接続制御装置２０の第２の通信制御部２３が、ステップＳ２２で送信された退出通知を、会議サーバ装置１０に送信する（ステップＳ２３）。
【００８０】
次に、会議サーバ装置１０のサーバ通信制御部１２が、接続制御装置２０から退出通知を受信すると、上述の起動要求を接続制御装置２０に送信する（ステップＳ２４）。
【００８１】
次に、接続制御装置２０の第２の通信制御部２３が、ステップＳ２４で送信された起動要求を、端末３０のブラウザ３６に送信する（ステップＳ２５）。
【００８２】
次に、端末３０のブラウザ３６が、接続制御装置２０から起動要求を受信すると、会議アプリケーション３５を起動する（ステップＳ２６）。
【００８３】
次に、会議サーバ装置１０のサーバ通信制御部１２が、図９のステップＳ５で追加された端末３０の特定情報を削除する削除要求を、接続制御装置２０に送信する（ステップＳ２７）。
【００８４】
次に、接続制御装置２０の記憶制御部２５が、記憶部２１の接続許可端末情報（表２参照）から、ステップＳ２７で送信された削除要求で指定された特定情報を削除する（ステップＳ２８）。
【００８５】
一方、端末３０の会議アプリケーション３５は、ステップＳ２６でブラウザ３６により起動されると、図９のステップＳ３で記憶部１１に記憶された制御情報を、記憶制御部１５を介して削除する（ステップＳ２９）。次に、会議アプリケーション３５は、会議サーバ装置１０との通信を切断したことを示す情報を表示する（ステップＳ３０）。
【００８６】
図１１は実施形態の端末３０がブラウザ３６により退出操作を受け付けた場合に通信を切断する方法の例２を示すシーケンス図である。図１１の例は、会議アプリケーション３５が起動している状態（会議アプリケーション３５がバックグラウンドで動作している状態）で、ブラウザ３６がネットワーク会議から退出（個別退出）する退出操作を受け付けた場合を示す。
【００８７】
はじめに、端末３０のブラウザ３６が、ネットワーク会議の退出操作を受け付ける（ステップＳ４１）。次に、ブラウザ３６が、上述の退出通知を、第２の通信制御部３３を介して接続制御装置２０に送信するとともに（ステップＳ４２）、当該退出通知を会議アプリケーション３５にも送信する（ステップＳ４３）。
【００８８】
次に、接続制御装置２０の第２の通信制御部２３が、ステップＳ４２で送信された退出通知を、会議サーバ装置１０に送信する（ステップＳ４４）。
【００８９】
次に、会議サーバ装置１０のサーバ通信制御部１２が、接続制御装置２０から退出通知を受信すると、図９のステップＳ５で追加された端末３０の特定情報を削除する削除要求を、接続制御装置２０に送信する（ステップＳ４５）。
【００９０】
次に、接続制御装置２０の記憶制御部２５が、記憶部２１の接続許可端末情報（表２参照）から、ステップＳ４５で送信された削除要求で指定された特定情報を削除する（ステップＳ４６）。
【００９１】
一方、端末３０の会議アプリケーション３５は、ステップＳ４３で送信された退出通知を受信すると、図９のステップＳ３で記憶部３１に記憶された制御情報を、記憶制御部３４を介して削除する（ステップＳ４７）。次に、会議アプリケーション３５は、会議サーバ装置１０との通信を切断したことを示す情報を表示する（ステップＳ４８）。
【００９２】
図１２は実施形態の端末３０がブラウザ３６により終了操作を受け付けた場合に通信を切断する方法の例１を示すシーケンス図である。図１２の例は、会議アプリケーション３５が起動していない状態で、ブラウザ３６がネットワーク会議を終了（全員退出）する終了操作を受け付けた場合を示す。図１２の説明では、端末３０ａが、ネットワーク会議の主催者に使用され、端末３０ｂが、ネットワーク会議の主催者ではない参加者に使用されている場合を例にして説明する。
【００９３】
はじめに、端末３０ａのブラウザ３６が、ネットワーク会議の終了操作を受け付ける（ステップＳ６１）。次に、ブラウザ３６が、上述の終了通知を、第２の通信制御部３３を介して接続制御装置２０に送信する（ステップＳ６２）。
【００９４】
次に、接続制御装置２０の第２の通信制御部２３が、ステップＳ６２で送信された終了通知を、会議サーバ装置１０に送信する（ステップＳ６３）。
【００９５】
次に、会議サーバ装置１０のサーバ通信制御部１２が、接続制御装置２０から終了通知を受信すると、端末３０ａに対する上述の起動要求を接続制御装置２０に送信する（ステップＳ６４）。
【００９６】
ステップＳ６５、ステップＳ６６、ステップＳ７１及びステップＳ７２の説明は、図１０のステップＳ２５、ステップＳ２６、ステップＳ２９及びステップＳ３０の説明と同じなので省略する。
【００９７】
また、サーバ通信制御部１２は、端末３０ａを使用している主催者により開催されているネットワーク会議の参加者の端末３０ｂに対する起動要求又は終了通知を、接続制御装置２０に送信する（ステップＳ６７）。具体的には、サーバ通信制御部１２は、端末３０ｂのブラウザ３６と通信していた場合は、起動要求を端末３０ｂに送信する。一方、サーバ通信制御部１２は、端末３０ｂの会議アプリケーション３５と通信していた場合は、終了通知を端末３０ｂに送信する。
【００９８】
次に、接続制御装置２０の第２の通信制御部２３が、ステップＳ６７で送信された起動要求又は終了通知を、端末３０ａに送信する（ステップＳ６８）。
【００９９】
端末３０ｂのブラウザ３６が、接続制御装置２０から起動要求を受信した場合の端末３０ｂの動作の説明は、上述の図１０の説明と同じなので省略する。同様に、端末３０ｂの会議アプリケーション３５が、接続制御装置２０から終了通知を受信した場合の端末３０ｂの動作の説明は、ブラウザ３６から退出通知を受信した場合の説明（図１１、ステップＳ４３、ステップＳ４７及びステップＳ４８参照）と同じなので省略する。
【０１００】
なおステップＳ６８の処理は、端末３０ａを使用している主催者により開催されているネットワーク会議に参加している全ての参加者の端末３０に対して行われる。
【０１０１】
次に、会議サーバ装置１０のサーバ通信制御部１２は、端末３０ａの特定情報と端末３０ｂの特定情報とを削除する削除要求を、接続制御装置２０に送信する（ステップＳ６９）。
【０１０２】
次に、接続制御装置２０の記憶制御部２５が、記憶部２１の接続許可端末情報（表２参照）から、ステップＳ６９で送信された削除要求で指定された複数の特定情報を削除する（ステップＳ７０）。
【０１０３】
図１３は実施形態の端末３０がブラウザ３６により終了操作を受け付けた場合に通信を切断する方法の例２を示すシーケンス図である。図１３の例は、会議アプリケーション３５が起動している状態（会議アプリケーション３５がバックグラウンドで動作している状態）で、ブラウザ３６がネットワーク会議を終了（全員退出）する終了操作を受け付けた場合を示す。図１３の説明では、端末３０ａが、ネットワーク会議の主催者に使用され、端末３０ｂが、ネットワーク会議の主催者ではない参加者に使用されている場合を例にして説明する。
【０１０４】
はじめに、端末３０ａのブラウザ３６が、ネットワーク会議の終了操作を受け付ける（ステップＳ８１）。次に、ブラウザ３６が、上述の終了通知を、第２の通信制御部３３を介して接続制御装置２０に送信するとともに（ステップＳ８２）、当該終了通知を会議アプリケーション３５にも送信する（ステップＳ８３）。
【０１０５】
次に、接続制御装置２０の第２の通信制御部２３が、ステップＳ８２で送信された終了通知を、会議サーバ装置１０に送信する（ステップＳ８４）。
【０１０６】
次に、会議サーバ装置１０のサーバ通信制御部１２が、接続制御装置２０から終了通知を受信すると、端末３０ａを使用している主催者により開催されているネットワーク会議の参加者の端末３０ｂに対する起動要求又は終了通知を、接続制御装置２０に送信する（ステップＳ８５）。具体的には、サーバ通信制御部１２は、端末３０ｂのブラウザ３６と通信していた場合は、起動要求を端末３０ｂに送信する。一方、サーバ通信制御部１２は、端末３０ｂの会議アプリケーション３５と通信していた場合は、終了通知を端末３０ｂに送信する。
【０１０７】
次に、接続制御装置２０の第２の通信制御部２３が、ステップＳ８５で送信された起動要求又は終了通知を、端末３０ｂに送信する（ステップＳ８６）。
【０１０８】
端末３０ｂのブラウザ３６が、接続制御装置２０から起動要求を受信した場合の端末３０ｂの動作の説明は、上述の図１０の説明と同じなので省略する。同様に、端末３０ｂの会議アプリケーション３５が、接続制御装置２０から終了通知を受信した場合の端末３０ｂの動作の説明は、ブラウザ３６から退出通知を受信した場合の説明（図１１、ステップＳ４３、ステップＳ４７及びステップＳ４８参照）と同じなので省略する。
【０１０９】
なおステップＳ８６の処理は、端末３０ａを使用している主催者により開催されているネットワーク会議に参加している全ての参加者の端末３０に対して行われる。
【０１１０】
ステップＳ８７及びステップＳ８８の説明は、図１２のステップＳ６９及びステップＳ７０の説明と同じなので省略する。またステップＳ８９及びステップＳ９０の説明は、図１０のステップＳ２９及びステップＳ３０の説明と同じなので省略する。
【０１１１】
＜ハードウェア構成＞
最後に実施形態の会議サーバ装置１０、接続制御装置２０及び端末３０のハードウェア構成の例について説明する。
【０１１２】
図１４は実施形態の会議サーバ装置１０のハードウェア構成の例を示す図である。実施形態の会議サーバ装置１０は、制御装置３０１、主記憶装置３０２、補助記憶装置３０３、表示装置３０４、入力装置３０５及び通信装置３０６を備える。制御装置３０１、主記憶装置３０２、補助記憶装置３０３、表示装置３０４、入力装置３０５及び通信装置３０６は、バス３１０を介して接続されている。
【０１１３】
制御装置３０１は補助記憶装置３０３から主記憶装置３０２に読み出されたプログラムを実行する。主記憶装置３０２はＲＯＭ及びＲＡＭ等のメモリである。補助記憶装置３０３はメモリカード及びＳＳＤ（Ｓｏｌｉｄ  Ｓｔａｔｅ  Ｄｒｉｖｅ）等である。
【０１１４】
表示装置３０４は情報を表示する。表示装置３０４は、例えば液晶ディスプレイである。入力装置３０５は、情報の入力を受け付ける。入力装置３０５は、例えばキーボード及びマウス等である。なお表示装置３０４及び入力装置３０５は、表示機能と入力機能とを兼ねる液晶タッチパネル等でもよい。通信装置３０６は他の装置と通信する。
【０１１５】
なお会議サーバ装置１０は、表示装置３０４及び入力装置３０５を備えていなくてもよい。すなわち会議サーバ装置１０の設定等は、通信装置３０６を介して他の装置から受信してもよい。
【０１１６】
図１５は実施形態の接続制御装置２０のハードウェア構成の例を示す図である。実施形態の接続制御装置２０は、制御装置４０１、主記憶装置４０２、補助記憶装置４０３、第１の通信装置４０４及び第２の通信装置４０５を備える。制御装置４０１、主記憶装置４０２、補助記憶装置４０３、第１の通信装置４０４及び第２の通信装置４０５は、バス４１０を介して接続されている。
【０１１７】
制御装置４０１、主記憶装置４０２及び補助記憶装置４０３の説明は、制御装置３０１、主記憶装置３０２及び補助記憶装置３０３の説明（図１４参照）と同じなので省略する。
【０１１８】
第１の通信装置４０４は、例えばＮＦＣ、及び、Ｂｌｕｅｔｏｏｔｈ（登録商標）等の近距離無線通信を行う装置である。第２の通信装置４０５は、例えばＷｉ−Ｆｉ（登録商標）等の無線通信を行う装置である。
【０１１９】
図１６は実施形態の端末３０のハードウェア構成の例を示す図である。実施形態の端末３０は、制御装置５０１、主記憶装置５０２、補助記憶装置５０３、表示装置５０４、入力装置５０５、第１の通信装置５０６及び第２の通信装置５０７を備える。制御装置５０１、主記憶装置５０２、補助記憶装置５０３、表示装置５０４、入力装置５０５、第１の通信装置５０６及び第２の通信装置５０７は、バス５１０を介して接続されている。
【０１２０】
制御装置５０１、主記憶装置５０２、補助記憶装置５０３、表示装置５０４及び入力装置５０５の説明は、制御装置３０１、主記憶装置３０２、補助記憶装置３０３、表示装置３０４及び入力装置３０５の説明（図１４参照）と同じなので省略する。また第１の通信装置５０６及び第２の通信装置５０７の説明は、第１の通信装置４０４及び第２の通信装置４０５の説明（図１５参照）と同じなので省略する。
【０１２１】
実施形態の会議サーバ装置１０、接続制御装置２０及び端末３０で実行されるプログラムは、インストール可能な形式又は実行可能な形式のファイルでＣＤ−ＲＯＭ、メモリカード、ＣＤ−Ｒ及びＤＶＤ（Ｄｉｇｉｔａｌ  Ｖｅｒｓａｔｉｌｅ  Ｄｉｓｋ）等のコンピュータで読み取り可能な記憶媒体に記憶されてコンピュータ・プログラム・プロダクトとして提供される。
【０１２２】
また実施形態の会議サーバ装置１０、接続制御装置２０及び端末３０で実行されるプログラムを、インターネット等のネットワークに接続されたコンピュータ上に格納し、ネットワーク経由でダウンロードさせることにより提供するように構成してもよい。また実施形態の会議サーバ装置１０、接続制御装置２０及び端末３０が実行するプログラムを、ダウンロードさせずにインターネット等のネットワーク経由で提供するように構成してもよい。
【０１２３】
また実施形態の会議サーバ装置１０、接続制御装置２０及び端末３０で実行されるプログラムを、ＲＯＭ等に予め組み込んで提供するように構成してもよい。
【０１２４】
実施形態の会議サーバ装置１０、接続制御装置２０及び端末３０で実行されるプログラムは、上述の実施形態の会議サーバ装置１０、接続制御装置２０及び端末３０の機能構成のうち、プログラムにより実現可能な機能を含むモジュール構成となっている。
【０１２５】
プログラムにより実現される機能は、制御装置３０１（４０１、５０１）が補助記憶装置３０３（４０３、５０３）等の記憶媒体からプログラムを読み出して実行することにより、プログラムにより実現される機能が主記憶装置３０２（４０２、５０２）にロードされる。すなわちプログラムにより実現される機能は、主記憶装置３０２（４０２、５０２）上に生成される。
【０１２６】
なお実施形態の会議サーバ装置１０、接続制御装置２０及び端末３０の機能の一部又は全部を、ＩＣ（Ｉｎｔｅｇｒａｔｅｄ  Ｃｉｒｃｕｉｔ）等のハードウェアにより実現してもよい。
【０１２７】
以上説明したように、実施形態の会議システム１００では、端末３０のブラウザ３６が、ユーザからの操作を受け付けるブラウザ操作画面情報を表示し、ブラウザ操作画面情報を介してネットワーク会議の退出操作を受け付けたときに、会議アプリケーション３５が起動していない場合、ブラウザ操作画面情報を介してネットワーク会議の退出操作を受け付けたことを示すブラウザ退出通知を会議サーバ装置１０に送信する。そしてブラウザ３６は、会議サーバ装置１０からブラウザ退出通知の応答として、会議アプリケーション３５の起動要求を受信したときに、会議アプリケーション３５を起動する。端末３０の会議アプリケーション３５は、ブラウザ３６から起動された場合、第１のネットワーク１１０に接続するための制御情報を削除する。
【０１２８】
これにより実施形態の会議システム１００によれば、端末１０のブラウザ３６の操作によりネットワーク会議から退出した場合でも、通信を切断することができる。
【符号の説明】
【０１２９】
１０  会議サーバ装置
１１  記憶部
１２  サーバ通信制御部
１３  記憶制御部
２０  接続制御装置
２１  記憶部
２２  第１の通信制御部
２３  第２の通信制御部
２４  判定部
２５  記憶制御部
３０  端末
３１  記憶部
３２  第１の通信制御部
３３  第２の通信制御部
３４  記憶制御部
３５  会議アプリケーション
３６  ブラウザ
３７  表示部
３８  入力部
４０  プロジェクタ
５０  電子黒板
６０  プリントサーバ装置
７０  ＭＦＰ
１００  会議システム
【先行技術文献】
【特許文献】
【０１３０】
【特許文献１】特開２００４−０９６４９５号公報
【図１】
0006696249.tif 000004
【図２】
0006696249.tif 000005
【図３】
0006696249.tif 000006
【図４】
0006696249.tif 000007
【図５】
0006696249.tif 000008
【図６】
0006696249.tif 000009
【図７】
0006696249.tif 000010
【図８】
0006696249.tif 000011
【図９】
0006696249.tif 000012
【図１０】
0006696249.tif 000013
【図１１】
0006696249.tif 000014
【図１２】
0006696249.tif 000015
【図１３】
0006696249.tif 000016
【図１４】
0006696249.tif 000017
【図１５】
0006696249.tif 000018
【図１６】
0006696249.tif 000019